(57)【特許請求の範囲】
【請求項１】
軟質合成樹脂を一体成形する外筒と、硬質合成樹脂を一体成形する内筒とを上下に同軸状に組み合わせて薬液容器の口部に挿着する薬液容器の二重中栓であって、前記内筒は、軸心上に形成する上向きの注出孔と、該注出孔の底部に開口し、薬液容器の内部に連通する上向きのテーパ孔とを有し、前記外筒は、前記注出孔に連続するとともに頂部に上向きに開口する滴下孔と、軸心上に垂下して前記テーパ孔に下端部を挿入する閉塞ピンとを有し、前記テーパ孔の内面、前記閉塞ピンの下端部の外面のいずれか一方には、薬液容器の内部から前記注出孔に連通する薬液の流路用の小溝を形成することを特徴とする薬液容器の二重中栓。
【請求項２】
前記閉塞ピンの上端は、前記滴下孔の下部内面の径方向に放射状に形成する連結部を介して支持することを特徴とする請求項１記載の薬液容器の二重中栓。
【請求項３】
前記閉塞ピンの下端部は、前記テーパ孔の内面に合わせて下向きテーパ状に尖らせることを特徴とする請求項１または請求項２記載の薬液容器の二重中栓。
【発明の詳細な説明】
【技術分野】
【０００１】
この発明は、点眼薬のような液状の薬液の変質を来すことがない薬液容器の二重中栓に関する。
【背景技術】
【０００２】
点眼薬のような液状の薬液に対し、薬液の反覆排出ができ、しかも、薬液の変質を来すおそれがないように工夫した薬液容器の二重中栓が知られている（特許文献１）。
【０００３】
このものは、硬質合成樹脂製の内筒と、軟質合成樹脂製の外筒とを組み合わせ、硬質合成樹脂製の薬液容器の口部に挿着するとき、薬液容器内の薬液が軟質合成樹脂製の外筒に接することがなく、薬液の変質を有効に防止することができる。軟質合成樹脂は、薬液の有効成分を吸着して薬液を変質させることがあるが、両者の接触を断つことにより、そのおそれを排除することができるからである。
【０００４】
また、このような薬液容器の二重中栓は、内筒に形成する注出孔の下部に狭窄部を形成することによって、薬液のぼた落ちなどの不具合を有効に防止することができる（特許文献２）。
【特許文献１】実公平１−１８５２９号公報
【特許文献２】特開平５−１２４６６３号公報
【発明の開示】
【発明が解決しようとする課題】
【０００５】
かかる従来技術の後者によるときは、内筒の注出孔の下部に形成する狭窄部は、単なる上向きの小径のテーパ孔でしかないので、たとえばキャップの取外し時などにおいて、薬液容器の胴部に一時的に大きな押圧力が加わると、中栓の先端の滴下孔から少量の薬液が噴出してキャップ内に飛散したり、そのようにして飛散した薬液が液漏れと誤認されるおそれがあるという問題があった。
【０００６】
そこで、この発明の目的は、かかる従来技術の問題に鑑み、注出孔の下部のテーパ孔と、それを閉塞する閉塞ピンとの間に小溝による薬液の流路を形成することによって、キャップを外す際などにおいて薬液がキャップ内に不用意に飛散することを有効に防止することができ、薬液の変質のおそれもない薬液容器の二重中栓を提供することにある。
【課題を解決するための手段】
【０００７】
かかる目的を達成するためのこの発明の構成は、軟質合成樹脂を一体成形する外筒と、硬質合成樹脂を一体成形する内筒とを上下に同軸状に組み合わせて薬液容器の口部に挿着する薬液容器の二重中栓であって、内筒は、軸心上に形成する上向きの注出孔と、注出孔の底部に開口し、薬液容器の内部に連通する上向きのテーパ孔とを有し、外筒は、注出孔に連続するとともに頂部に上向きに開口する滴下孔と、軸心上に垂下してテーパ孔に下端部を挿入する閉塞ピンとを有し、テーパ孔の内面、閉塞ピンの下端部の外面のいずれか一方には、薬液容器の内部から注出孔に連通する薬液の流路用の小溝を形成することをその要旨とする。
【０００８】
なお、閉塞ピンの上端は、滴下孔の下部内面の径方向に放射状に形成する連結部を介して支持することができ、閉塞ピンの下端部は、テーパ孔の内面に合わせて下向きテーパ状に尖らせることができる。
【発明の効果】
【０００９】
かかる発明の構成によるときは、内筒は、二重中栓の下部を形成し、外筒は上部を形成するから、薬液容器内の薬液は、軟質合成樹脂製の外筒に接触することがなく、変質を来すおそれがない。一方、内筒のテーパ孔の内面、外筒の閉塞ピンの下端部の外面のいずれかに形成する小溝は、薬液容器内の薬液が注出孔を介して滴下孔に流出する際の流路を形成するから、小溝の有効断面積を必要十分に小さく絞ることにより、キャップを外す時などの際に薬液容器の胴部に大きな押圧力が一時的に加えられても、それによって薬液が注出孔、滴下孔に流出するおそれがなく、滴下孔からキャップ内に薬液が不用意に飛散することもない。なお、薬液容器内の薬液を滴下孔から正規に滴下させて使用するときは、薬液容器を逆さにして必要な押圧力を胴部に継続して加えることにより、適正なサイズの液滴として滴下孔から薬液を滴下させることができる。
【００１０】
閉塞ピンは、滴下孔の下部内面の複数の連結部を介して上端を保持することにより、外筒の一部として容易に一体成形することができる。なお、放射状の連結部の間には、注出孔からの薬液が滴下孔に向けて流出するための開口部が形成されている。
【００１１】
閉塞ピンの下端部は、テーパ孔の内面に合わせてテーパ状に尖らせることにより、テーパ孔に挿入し易く、小溝による流路部分を除く下端部の外面の全域をテーパ孔の内面に密接させることができる。
【発明を実施するための最良の形態】
【００１２】
以下、図面を以って発明の実施の形態を説明する。
【００１３】
薬液容器の二重中栓１０は、下部の内筒１１と上部の外筒１２とを同軸状に組み合わせてなり（図１、図２）、薬液容器Ｋの口部Ｋ1 に挿着されている。
【００１４】
薬液容器Ｋは、上部に口部Ｋ1 を有する偏平な中空容器である。薬液容器Ｋは、図１、図２の紙面に垂直方向に薄く、ポリエチレンテレフタレート等の硬質合成樹脂材料により一体成形されている。薬液容器Ｋは、口部Ｋ1 の左右両側に肩部Ｋ2 、Ｋ2 を形成し、口部Ｋ1 の左右両外側には、係止突条Ｋ1a、Ｋ1aが形成されている。
【００１５】
内筒１１は、たとえばポリエチレンテレフタレート（ＰＥＴ）、ポリブチレンテレフタレート（ＰＢＴ）、ポリカーボネート（ＰＣ）、ポリアリレート（ＰＡＲ）などの硬質合成樹脂により一体成形されている（図２、図３）。ただし、図３（Ａ）〜（Ｃ）は、それぞれ一部破断正面図、上面図、下面図である。
【００１６】
内筒１１の軸心Ｐ1 上には、上向きの注出孔１１ａと、注出孔１１ａの底部１１ａ1 に開口する上向きのテーパ孔１１ｂと、下部の大径の凹部１１ｃとが上から下に順に形成されている。テーパ孔１１ｂの内面には、断面Ｖ字状の小溝１１ｂ1 が母線方向に形成されている。内筒１１の外周上部には、上面側が斜め下向きの環状リブ１１ｄが形成されている。また、内筒１１の外周下部には、段部１１ｅ1 を介して、斜め上向きの大径の鍔１１ｅが形成されており、環状リブ１１ｄの上部、鍔１１ｅの下部は、それぞれ角部を滑らかに丸める上端部、下端部に形成されている。環状リブ１１ｄには、テーパ孔１１ｂの小溝１１ｂ1 と平行な短い平行部１１ｄ1 が形成されている。
【００１７】
外筒１２は、たとえば低密度ポリエチレン（ＬＤＰＥ）、高密度ポリエチレン（ＨＤＰＥ）、ポリプロピレン（ＰＰ）などの軟質合成樹脂により一体成形されている（図２、図４）。ただし、図４（Ａ）〜（Ｃ）は、それぞれ一部破断正面図、上面図、下面図である。
【００１８】
外筒１２の軸心Ｐ2 上には、頂部に上向きに開口する滴下孔１２ａと、滴下孔１２ａの下部から垂下する閉塞ピン１２ｂとが形成されている。閉塞ピン１２ｂの上端は、滴下孔１２ａの下部内面の径方向に放射状に形成する連結部１２ｂ1 、１２b 1 …を介して支持されており、連結部１２ｂ1 、１２ｂ1 …の間には、扇形の開口部１２ｂ2 、１２ｂ2 …が形成されている。外筒１２の外周中間部には、大径のフランジ１２ｃが形成され、フランジ１２ｃの上部は、角部を滑らかに丸める上端部に連続しており、フランジ１２ｃの下部は、閉塞ピン１２ｂを囲むスカート部１２ｄとなっている。
【００１９】
閉塞ピン１２ｂは、スカート部１２ｄの下端を越えて長く垂下しており、スカート部１２ｄから突出する閉塞ピン１２ｂの下端部は、内筒１１のテーパ孔１１ｂの内面に合わせて下向きテーパ状に尖らせている。また、スカート部１２ｄの内部は、内筒１１の鍔１１ｅの上部の外形に適合する段付きの空洞１２ｅに形成され、空洞１２ｅの中間部には、内筒１１の環状リブ１１ｄに適合する環状の係合溝１２ｆが形成されている。
【００２０】
外筒１２、内筒１１は、共通の軸心Ｐ上に上下に同軸状に組み合わせ、薬液容器Ｋの口部Ｋ1 に挿着することができる（図２）。このとき、内筒１１は、鍔１１ｅが口部Ｋ1 に圧入され、外筒１２は、スカート部１２ｄ、フランジ１２ｃが口部Ｋ1 を水密にシールする。また、外筒１２は、内筒１１の環状リブ１１ｄが係合溝１２ｆに係合することにより抜け止めされ、閉塞ピン１２ｂの下端部がテーパ孔１１ｂに挿入されてテーパ孔１１ｂを閉塞する。ただし、テーパ孔１１ｂは、内面の小溝１１ｂ1 を介して下側の凹部１１ｃ、薬液容器Ｋの内部と、上側の注出孔１１ａとが連通している。
【００２１】
薬液容器Ｋの上部には、キャップＣが装着されている（図１）。
【００２２】
キャップＣは、全体として薬液容器Ｋの口部Ｋ1 、肩部Ｋ2 、Ｋ2 を覆うように、薬液容器Ｋとほぼ同等の厚みｔc を有し、下部開放のほぼ半月形の蓋状に形成されている。キャップＣの頂部には、口部Ｋ1 の係止突条Ｋ1a、Ｋ1aに弾発的に係合する一対の係止部Ｃ1 、Ｃ1 が垂設され、係止部Ｃ1 、Ｃ1 に挾み込まれるようにして、二重中栓１０の頂部を覆うシール部Ｃ2 、滴下孔１２ａを閉塞する突栓部Ｃ3 が形成されている。
【００２３】
キャップＣは、長手方向を薬液容器Ｋの肩部Ｋ2 、Ｋ2 に合わせるようにして押し込み（図１の矢印Ａ方向）、係止部Ｃ1 、Ｃ1 を係止突条Ｋ1a、Ｋ1aに弾発的に係合させることにより、薬液容器Ｋに対して一体に装着することができる。このとき、キャップＣの頂部のシール部Ｃ2 は、二重中栓１０の頂部に押し付けられ、突栓部Ｃ3 は、滴下孔１２ａを水密に閉塞することができる。なお、突栓部Ｃ3 は、上向きテーパ状の滴下孔１２ａに適合する下向きテーパ状に形成されている。
【００２４】
キャップＣは、薬液容器Ｋに対し、左右に捻るように回転させることにより、薬液容器Ｋから容易に外すことができる。すなわち、キャップＣを捻ると、キャップＣの下端縁Ｃ4 、Ｃ4 が薬液容器Ｋの肩部Ｋ2 、Ｋ2 に乗り上げ（図１の二点鎖線）、キャップＣを全体として薬液容器Ｋから外れる方向（同図の矢印Ａの反対方向）に駆動することができ、キャップＣは、係止部Ｃ1 、Ｃ1 が係止突条Ｋ1a、Ｋ1aから外れて薬液容器Ｋから分離し、滴下孔１２ａを開口することができる。
【００２５】
このようにしてキャップＣを外すとき、薬液容器Ｋの胴部に大きな押圧力が一時的に加わることにより、たとえば二重中栓１０の下端の凹部１１ｃに薬液が付着していると、その薬液がテーパ孔１１ｂの小溝１１ｂ1 を通って外部に流出する方向に駆動される。しかし、小溝１１ｂ1 の有効断面積を十分小さく設定することにより、このような一時的な押圧力による薬液の流出を実質的に皆無にすることができる。ただし、このときの関係部位の諸元は、たとえば次のとおりである（図５）。すなわち、内筒１１のテーパ孔１１ｂの直径ｄは、最大径ｄ1 ＝１．０mm、最小径ｄ2 ＝０．４mmとし、小溝１１ｂ1 の幅ｗ＝０．２mm、深さｂ＝０．１５mmとし、底部１１ａ1 の厚さｔ＝１．０mmとし、キャップＣを外すときの最大トルクＴ＝３０Ｎ・cm以下とした。ただし、図５（Ａ）、（Ｂ）は、それぞれ図２の要部拡大図、図５（Ａ）のＸ−Ｘ線矢視相当拡大断面図である。
【００２６】
なお、キャップＣを外して開栓後の薬液容器Ｋは、逆さにし、図示しない胴部を手指で継続的に押して弾性変形させることにより、滴下孔１２ａから薬液を正規に滴下させて使用することができる。このとき、テーパ孔１１ｂの小溝１１ｂ1 は、薬液容器Ｋの内部から注出孔１１ａに連通する薬液の通路を形成し、薬液は、小溝１１ｂ1 、注出孔１１ａを介して滴下孔１２ａに流出するからである。なお、このときの所要押圧力は、先きの諸元に対して、たとえば０．５〜１．０Ｎ（平均０．８Ｎ）であり、所要押圧時間は、少なくとも０．２秒以上であって、何ら使用上の違和感はない。
【他の実施の形態】
【００２７】
内筒１１のテーパ孔１１ｂに形成する小溝１１ｂ1 は、軸対称に一対を設けてもよい（図６（Ａ））。また、小溝１１ｂ1 は、断面Ｖ字状に形成するに代えて、断面半月状にしてもよい（同図（Ｂ））。さらに、小溝１１ｂ1 は、テーパ孔１１ｂの内面に代えて、テーパ孔１１ｂに挿入する閉塞ピン１２ｂの下端部の外面に形成してもよい（同図（Ｃ））。なお、小溝１１ｂ1 の形状、本数は、内筒１１、外筒１２の成形性を損わない限り、図６（Ａ）〜（Ｃ）以外の任意の態様に設定することができる。
【００２８】
また、テーパ孔１１ｂの内面の小溝１１ｂ1 は、テーパ孔１１ｂの上から下にかけて幅ｗ、深さｂの双方を漸減させることができる（図７（Ａ）、（Ｂ））。すなわち、図７において、小溝１１ｂ1 の幅ｗ、深さｂは、それぞれ上端において最大幅ｗ1 、最大深さｂ1 となり、下端において最小幅ｗ2 、最小深さｂ2 となっている。ただし、図７（Ａ）、（Ｂ）は、それぞれ内筒１１の要部拡大断面図、同図（Ａ）のＹ矢視相当図である。
【００２９】
なお、薬液容器Ｋ、キャップＣの全体形状は、図示に拘らず、任意に変更することができるものとする。また、キャップＣは、薬液容器Ｋに対し、ねじを介して着脱する一般的なねじ式のものであってもよい。
【図面の簡単な説明】
【００３０】
【図１】全体構成縦断面説明図
【図２】図１の要部拡大図
【図３】内筒の構成説明図
【図４】外筒の構成説明図
【図５】図２の要部拡大説明図
【図６】他の実施の形態を示す図５（Ｂ）相当図
【図７】他の実施の形態を示す要部拡大説明図
【符号の説明】
【００３１】
Ｋ…薬液容器
Ｋ1 …口部
Ｐ、Ｐ1 、Ｐ2 …軸心
１０…二重中栓
１１…内筒
１１ａ…注出孔
１１ａ1 …底部
１１ｂ…テーパ孔
１１ｂ1 …小溝
１２…外筒
１２ａ…滴下孔
１２ｂ…閉塞ピン
１２ｂ1 …連結部
特許出願人          伸晃化学株式会社
代理人  弁理士        松  田  忠  秋
【図１】
0005102686.tif 000002
【図２】
0005102686.tif 000003
【図３】
0005102686.tif 000004
【図４】
0005102686.tif 000005
【図５】
0005102686.tif 000006
【図６】
0005102686.tif 000007
【図７】
0005102686.tif 000008